(57)【要約】      （修正有）【課題】害虫忌避効果を備えた手袋を提供する。【解決手段】ロング手袋（編成手袋）は、二種類の異なる編糸を同時に編針に供給して、各編糸がそれぞれ表裏の編地１１，１２を形成するプレーティング編みにより編成され、表側の編地１１を形成する編糸に害虫忌避剤が含有されている構造とする。【選択図】図２
0003181349.tif 000002
【実用新案登録請求の範囲】
【請求項１】
害虫忌避剤が含有された編糸で編成されて成る害虫忌避効果を備えた編成手袋。
【請求項２】
前記編成手袋は、二種類の異なる編糸を同時に編針に供給して、各編糸がそれぞれ表裏の編地を形成するプレーティング編みにより編成され、表側の編地を形成する編糸に害虫忌避剤が含有されていることを特徴とする請求項１に記載の害虫忌避効果を備えた編成手袋。
【請求項３】
前記編成手袋は、人の腕の肩口近傍まで被覆可能な長さを有していることを特徴とする請求項１又は２記載の害虫忌避効果を備えた編成手袋。
【請求項４】
前記編糸は、害虫忌避剤を染料に混入させて、染色時に当該編糸に付着させたものであることを特徴とする請求項１ないし３のいずれかに記載の害虫忌避効果を備えた編成手袋。
【考案の詳細な説明】
【技術分野】
【０００１】
本考案は、害虫忌避効果を有していて、蚊等の害虫除けが可能な編成手袋に関するものである。
【背景技術】
【０００２】
編成手袋（以下、単に「手袋」と略す場合もある）には、人の手首まで覆う一般の手袋から、肩口近傍まで覆うことができるロング手袋（特許文献１，２）まで、種々存在し、ロング手袋は、手首及び腕の日焼け防止となる。
【０００３】
草木類が存在する場所では、手袋を装着していない場合のみならず、一般の手袋、或いはロング手袋を装着していても、手袋の網目を通して蚊に刺されることがあり、このような場合には、害虫除けが必要となる。
【先行技術文献】
【特許文献】
【０００４】
【特許文献１】特開平９−２２８１１５
【特許文献２】特開２０１１−９４２７７
【考案の概要】
【考案が解決しようとする課題】
【０００５】
本考案は、害虫忌避効果を備えた手袋の提供を課題としている。
【課題を解決するための手段】
【０００６】
上記課題を解決するための請求項１の考案は、害虫忌避剤が含有された編糸で編成されて成る害虫忌避効果を備えた編成手袋である。
【０００７】
請求項１の考案によれば、編成手袋の編糸に害虫忌避剤が含有されているため、人体の手から手首部、或いは腕部まで装着するのみで、蚊等の害虫の飛来自体を防止又は抑制できるため、人体の上記部分に害虫等が付着して、刺される等の危険を防止できる。
【０００８】
請求項２の考案は、請求項１の考案において、前記編成手袋は、二種類の異なる編糸を同時に編針に供給して、各編糸がそれぞれ表裏の編地を形成するプレーティング編みにより編成され、表側の編地を形成する編糸に害虫忌避剤が含有されていることを特徴としている。
【０００９】
請求項２の考案によれば、プレーティング編みにより編成されて、異なる編糸により表裏の各編地が形成される編成手袋において、露出側である表側の編地を形成する編糸に害虫忌避剤が含有されているため、害虫の飛来を効果的に防止又は抑制できる。
【００１０】
請求項３の考案は、請求項１又は２の考案において、前記編成手袋は、人の腕の肩口近傍まで被覆可能な長さを有していることを特徴としている。
【００１１】
請求項３の考案によれば、人体の手首部及び腕部の日焼け防止効果に加えて、害虫忌避効果が得られる。
【００１２】
請求項４の考案は、請求項１ないし３のいずれかの考案において、前記編糸は、害虫忌避剤を染料に混入させて、染色時に当該編糸に付着させたものであることを特徴としている。
【００１３】
請求項４の考案によれば、染料に害虫忌避剤を混入させることにより、染色時に編糸に害虫忌避剤を容易に含有させることができ、編糸に対する害虫忌避剤の含有のための特別の工程を必要としない。
【考案の効果】
【００１４】
本考案によれば、例えば、染料に害虫忌避剤を混入させることにより、染色時に編糸に害虫忌避剤を容易に含有させることができ、編糸に対する害虫忌避剤の含有のための特別の工程を必要とせずに、編糸に害虫忌避剤を含有する編成手袋が得られ、装着状態において、人体の手首部或いは腕部に対して害虫が飛来するのを効果的に防止又は抑制できる。
【図面の簡単な説明】
【００１５】
【図１】本考案に係るロング手袋Ｇの正面図である。
【図２】図１のＸ−Ｘ線拡大断面図である。
【図３】本考案に係るロング手袋Ｇの使用状態を示す図である。
【図４】（ａ），（ｂ）は、二種類の異なる編糸Ｙ1 ，Ｙ2 を用いたプレーティング編みにより編成された手袋Ｇの表側及び裏側の編成組織図である。
【考案を実施するための形態】
【００１６】
以下、実施例を挙げて、本考案について更に詳細に説明する。図１ないし図４に示されるロング手袋Ｇは、人の腕の肩口近傍まで覆うことのできる５本指の編成手袋であって、手袋本体部１に人体の腕部を覆う腕覆い部２が一体に設けられた形状である。手袋本体部１を構成する各指袋部３は、全て開放（開口）されて、人体の手首部を覆う手首部覆い部４と、各指袋部３と反対の開口端部５には、後述の編糸Ｙ1 ，Ｙ2 にゴム糸（図示せず）が挿入されて、周方向の伸縮性が付与されている。なお、図２及び図３において、２１は、人体の腕部を示す。
【００１７】
ロング手袋Ｇは、異なる２本の編糸Ｙ1 ，Ｙ2 を用いてプレーティング編みされている。プレーティング編みとは、異なる２本の編糸Ｙ1 ，Ｙ2 を同時に引き込んで、図４に示されるように、各編糸Ｙ1 ，Ｙ2 をそれぞれ表側及び裏側に配置させる編成方法であって、表編地と裏編地とがそれぞれ異なる編糸Ｙ1 ，Ｙ2 で形成され、添え糸編み、或いはくるみ編みとも称されている。
【００１８】
そして、本考案においては、表側に配置される編糸Ｙ1 は、害虫忌避剤を含有した特殊編糸であって、例えば、害虫忌避剤を混入させた染料によって染色することによって、専用の工程を設けることなく、当該編糸Ｙ1 に害虫忌避剤を含有させられる。一方、内側に配置される編糸Ｙ2 は、コラーゲンを含有していて、当該コラーゲンの含有方法としては、例えば、コラーゲンを含む溶液内に編糸を浸漬させた後に、乾燥させる等の方法が挙げられる。
【００１９】
よって、ロング手袋Ｇは、害虫忌避剤を含有した編糸Ｙ1 により表編地１１が形成されると共に、コラーゲンを含有した編糸Ｙ2 により裏編地１２が形成されるために、外側に露出した表編地を形成する編糸Ｙ1 により害虫忌避効果が奏される。また、人体の肌に直接に接触する裏編地を形成する編糸Ｙ2 により保湿効果が奏され、害虫の飛来の防止又は抑制がなされて、人体の手首部及び腕部を害虫から保護できるのに加えて、人体の手首部及び腕部の肌にうるおいが与えられる。
【００２０】
害虫忌避剤としては、ピレトリンを主成分とするタナテックスケミカルジャパン株式会社製の商品名「PRODUCT BUN 」を用いた。
【００２１】
上記実施例のロング手袋Ｇは、異なる二種類の編糸を用いてプレーティング編みによって、手袋を編成していて、表側の編地を形成する編糸に害虫忌避剤を含有させ、裏側の編地を編成する編糸にコラーゲンを含有させて、害虫忌避効果と人体の肌の保湿効果との双方を奏させている。しかし、本考案においては、１本（一種類）の編糸で編成するゾッキ編みにおいて、当該編糸に害虫忌避剤を含有させることにより、ゾッキ編みによる手袋に対しても実施可能である。
【００２２】
また、上記実施例のように、ロング手袋に対して本考案を実施した場合には、本考案の独自の効果の他に、日焼け防止効果も得られるが、本考案は、手首部まで覆う一般の手袋に対しても実施可能である。
【符号の説明】
【００２３】
Ｇ：ロング手袋（編成手袋）
Ｙ1,Ｙ2 : 編糸
１：手袋本体部
２：腕覆い部
１１：表編地
１２：裏編地
【図１】
0003181349.tif 000003
【図２】
0003181349.tif 000004
【図３】
0003181349.tif 000005
【図４】
0003181349.tif 000006